(57)【要約】      （修正有）【課題】フレキシブルケーブル及びプリント回路基板を接続可能なロック及びロック解除構造を有するコネクタを提供する。【解決手段】ロック及びロック解除構造を有するコネクタ１０は、ハウジング１２と、ラバーコア１４と、端子１６と、を備える。ハウジングは操作部と、複数の接続部と、複数のロック部とで構成される。接続部は操作部の表面から延出されてハウジングの一側に下に向けて延伸される。ロック部は作用構成、ベース、及び係合構成を有する。操作部及びベースは分離または連設されている。フレキシブルケーブルのヘッド部が係合構成に作用すると、係合構成が初期状態からフレキシブルケーブルの切欠部にロックするまで第一方向に移動する。操作部に外力を付勢することで接続部を変形させて作用構成を第一方向に移動させて変形させ、係合構成も第一方向に移動させ、係合構成を切欠部から脱離させる。【選択図】図１
0003234748.tif 000002
【実用新案登録請求の範囲】
【請求項１】
ヘッド部及び切欠部を有しているフレキシブルケーブル及びプリント回路基板を接続するためのロック及びロック解除構造を有するコネクタであって、
操作部と、複数の接続部と、複数のロック部とを有しているハウジングであって、前記操作部は前記ハウジングの表面に形成され、これら前記接続部は前記操作部及びこれら前記ロック部に連接され、且つこれら前記接続部は前記表面から延出されて前記ハウジングの一側に下に向けて延伸され、これら前記ロック部は前記ハウジングの両側に設けられ、これら前記ロック部は作用構成と、ベースと、係合構成とを有し、前記作用構成は前記ベース及び前記係合構成に連接され、前記係合構成は前記切欠部に対応するように設置され、前記操作部及びこれら前記ベースは分離するように設置されているハウジングと、
前記ハウジングに結合されているラバーコアであって、前記ラバーコアには前記フレキシブルケーブルを収容するための収容空間が形成され、前記ラバーコアには複数の開口部及び複数の端子孔が形成され、これら前記開口部にこれら前記ロック部が設けられているラバーコアと、
一端が前記収容空間に設置され、他端には前記プリント回路基板を接続する端子と、を備え、
前記ヘッド部が前記係合構成に作用すると、前記係合構成が初期状態から前記係合構成が前記切欠部にロックするまで第一方向に移動するように改変され、前記係合構成が前記作用構成により前記ベースに作用すると第二方向に移動して前記初期状態に回復し、また、前記操作部に外力を付勢することによりこれら前記接続部を変形させてこれら前記作用構成を前記第一方向に移動させて変形させ、前記係合構成も前記第一方向に移動させ、前記係合構成を前記切欠部から脱離させることを特徴とするロック及びロック解除構造を有するコネクタ。
【請求項２】
前記表面には位置合わせ用切欠部がさらに形成され、前記ラバーコアには位置合わせブロックが形成され、前記位置合わせ用切欠部により前記位置合わせブロックに位置を合わせ、前記ハウジングに前記ラバーコアを組み合わせ、前記ベースは位置合わせユニットをさらに備え、前記ラバーコアは位置合わせ穴をさらに備え、前記位置合わせユニットは前記位置合わせ穴に対応するように設置され、前記位置合わせユニットにより前記位置合わせ穴に接合することにより、前記ハウジングを前記ラバーコアに位置を合わせることを特徴とする請求項１に記載のロック及びロック解除構造を有するコネクタ。
【請求項３】
これら前記ベースは第一位置限定部をさらに備え、前記ラバーコアは第二位置限定部をさらに備え、前記第一位置限定部は前記第二位置限定部に対応するように設けられ、前記第一位置限定部は前記第二位置限定部に結合され、前記ハウジングを前記ラバーコアに位置を限定し、また、前記第一位置限定部及び前記第二位置限定部はそれぞれ１つ及び複数であり、これら前記第一位置限定部はそれぞれ穴部または弾性片であり、前記第二位置限定部は係合ブロックまたは係合溝であり、これら前記係合溝がこれら前記係合ブロックに係合するか、前記穴部が前記弾性片に係合することで、前記ハウジングを前記ラバーコアに位置を限定させることを特徴とする請求項１に記載のロック及びロック解除構造を有するコネクタ。
【請求項４】
これら前記作用構成はＬ字形を呈し、前記ベースにＣ字形体を形成するために用いられ、これら前記作用構成は第一弾性部材及び第二弾性部材をさらに備えていることを特徴とする請求項１に記載のロック及びロック解除構造を有するコネクタ。
【請求項５】
ヘッド部及び切欠部を有しているフレキシブルケーブル及びプリント回路基板を接続するためのロック及びロック解除構造を有するコネクタであって、
操作部と、複数の接続部と、複数のロック部とを有しているハウジングであって、前記操作部は前記ハウジングの表面に形成され、これら前記接続部は前記操作部及びこれら前記ロック部に連接され、且つこれら前記接続部は前記表面から延出されて前記ハウジングの一側に下に向けて延伸され、これら前記ロック部は前記ハウジングの両側に設けられ、これら前記ロック部は作用構成と、ベースと、係合構成とを有し、前記作用構成は前記係合構成に連接され、前記係合構成は前記切欠部に対応するように設置され、前記操作部及びこれら前記ベースは連設されているハウジングと、
前記ハウジングに結合されているラバーコアであって、前記ラバーコアには前記フレキシブルケーブルを収容するための収容空間が形成され、前記ラバーコアには複数の開口部及び複数の端子孔が形成され、これら前記開口部にこれら前記ロック部が設けられているラバーコアと、
一端が前記収容空間に設置され、他端には前記プリント回路基板を接続する端子と、を備え、
前記ヘッド部が前記係合構成に作用すると、前記係合構成が初期状態から前記係合構成が前記切欠部にロックするまで第一方向に移動するように改変され、前記係合構成は前記作用構成により第二方向に移動して前記初期状態に回復し、また、前記操作部に外力を付勢することによりこれら前記接続部を変形させて前記操作部を前記第一方向に移動させて前記作用構成を変形させ、前記係合構成も前記第一方向に移動させ、前記係合構成を前記切欠部から脱離させることを特徴とするロック及びロック解除構造を有するコネクタ。
【考案の詳細な説明】
【技術分野】
【０００１】
本考案は、コネクタの分野に関し、詳しくは、ロック及びロック解除構造を有するコネクタ（Connector with a locking and unlocking structure）に関する。
【背景技術】
【０００２】
従来のロック及びロック解除構造を有するコネクタは、フレキシブルケーブルをロックすると共にユーザーが押圧することでフレキシブルケーブルのロックを解除するための押し部を提供している。
【考案の概要】
【考案が解決しようとする課題】
【０００３】
しかしながら、小型や超小型の応用環境では、空間が限られているため、従来のコネクタを使用することができなかった。そこで、本考案者は上記の欠点が改善可能と考え、鋭意研究した結果、ロック及びロック解除構造を有するコネクタにより、上記目的を達成できることを見出した。
【０００４】
本考案は、上記問題点に鑑みて本発明者の鋭意研究により成されたものであり、本考案の第一の目的は、フレキシブルケーブル及びプリント回路基板を接続可能なロック及びロック解除構造を有するコネクタを提供する。
【０００５】
本考案の第二の目的は、ロック及びロック解除構造を有するコネクタを提供する。即ち、単一のハウジングにラバーコアを結合するための操作部、複数の接続部、及び複数のロック部が形成されている。
【０００６】
本考案の第三の目的は、ロック及びロック解除構造を有するコネクタを提供する。即ち、接続部は表面から延出されてハウジングの一側に下に向けて延伸されてロック部に連接され、操作部によりロック部を連動させる目的を達成する。
【０００７】
本考案の第四の目的は、ロック及びロック解除構造を有するコネクタを提供する。即ち、フレキシブルケーブルの切欠部にロックし、操作部を押圧することによりフレキシブルケーブルの切欠部から脱離するロック部を有している。
【０００８】
本考案の第五の目的は、ロック及びロック解除構造を有するコネクタを提供する。即ち、提供するベース及び操作部は分離または連設され、ベースを操作部から分離した場合、ベースを作用構成の支点とし、ベースを操作部に連設した場合、ベースを操作部の支点とする。
【０００９】
本考案の第六の目的は、ロック及びロック解除構造を有するコネクタを提供する。即ち、ハウジング及びラバーコアが位置限定部をそれぞれ有し、ハウジング及びラバーコアを結合している。
【００１０】
本考案の第七の目的は、ロック及びロック解除構造を有するコネクタを提供する。即ち、ハウジングの位置合わせユニット及びラバーコアの位置合わせ穴により、ハウジングをラバーコアにスムーズに結合する。
【００１１】
本考案の第八の目的は、ロック及びロック解除構造を有するコネクタを提供する。即ち、ハウジングのストッパー部材とラバーコアのストッパーブロックとの間の相互干渉により、ハウジングをラバーコアに固定する。
【課題を解決するための手段】
【００１２】
上記課題を解決するために、本考案のある態様のロック及びロック解除構造を有するコネクタは、ヘッド部及び切欠部を有しているフレキシブルケーブル及びプリント回路基板を接続する。ロック及びロック解除構造を有するコネクタはハウジングと、ラバーコアと、端子と、を備えている。ハウジングは操作部と、複数の接続部と、複数のロック部と、を含む。操作部はハウジングの表面に形成されている。これら前記接続部は操作部及びこれら前記ロック部に連接され、且つこれら前記接続部は表面から延出されてハウジングの一側に下に向けて延伸されている。これら前記ロック部はハウジングの両側に設けられている。これら前記ロック部は作用構成と、ベースと、係合構成とを有している。作用構成はベース及び係合構成に連接されている。係合構成は切欠部に対応するように設置されている。操作部及びこれら前記ベースは分離するように設置されている。ラバーコアはハウジングに結合されている。ラバーコアにはフレキシブルケーブルを収容可能な収容空間が形成されている。ラバーコアには複数の開口部及び複数の端子孔が形成されている。これら前記開口部にはこれら前記ロック部が設けられている。端子の一端は収容空間に設置され、端子の他端はプリント回路基板を接続可能である。ヘッド部が係合構成に作用すると、係合構成が初期状態から係合構成が切欠部にロックするまで第一方向に移動するように改変される。係合構成は作用構成がベースに作用することで第二方向に移動して初期状態に回復する。また、操作部に外力を付勢することによりこれら前記接続部を変形させてこれら前記作用構成を第一方向に移動させて変形させ、係合構成も第一方向に移動させ、係合構成を切欠部から脱離させる。
【００１３】
また、上述した課題を解決し、目的を達成するために、本考案の別の態様は、ロック及びロック解除構造を有するコネクタである。このロック及びロック解除構造を有するコネクタは、ヘッド部及び切欠部を有しているフレキシブルケーブル及びプリント回路基板を接続する。ロック及びロック解除構造を有するコネクタはハウジングと、ラバーコアと、端子と、を備えている。ハウジングは操作部と、複数の接続部と、複数のロック部と、を含む。操作部はハウジングの表面に形成されている。これら前記接続部は操作部及びこれら前記ロック部に連接され、且つこれら前記接続部は前記表面から延出されて前記ハウジングの一側に下に向けて延伸されている。これら前記ロック部はハウジングの両側に設けられている。これら前記ロック部は作用構成と、ベースと、係合構成とを有している。作用構成は係合構成に連接されている。係合構成は切欠部に対応するように設置されている。操作部及びこれら前記ベースは連設されている。ラバーコアはハウジングに結合されている。ラバーコアにはフレキシブルケーブルを収容可能な収容空間が形成されている。ラバーコアには複数の開口部及び複数の端子孔が形成されている。これら前記開口部にはこれら前記ロック部が設けられている。端子の一端は収容空間に設置され、端子の他端はプリント回路基板を接続可能である。ヘッド部が係合構成に作用すると、係合構成が初期状態から係合構成が切欠部にロックするまで第一方向に移動するように改変される。係合構成は作用構成により第二方向に移動して初期状態に回復する。また、操作部に外力を付勢することによりこれら前記接続部を変形させて操作部を第一方向に移動させて作用構成を変形させ、係合構成も第一方向に移動させ、係合構成を切欠部から脱離させる。
【考案の効果】
【００１４】
従来のコネクタと比較すると、本考案に係るロック及びロック解除構造を有するコネクタは、ハウジングに一体型の操作部、複数の接続部、及び複数のロック部が形成され、且つラバーコアを結合することでフレキシブルケーブルの自動ロック及び手動ロック解除機能を実現している。
【００１５】
本明細書及び図面の記載により、少なくとも、以下の事項が明らかとなる。
【図面の簡単な説明】
【００１６】
【図１】本考案の第１実施例に係るロック及びロック解除構造を有するコネクタを示す外観斜視図である。
【図２（ａ）】図１に示すハウジングを示す正面図である。
【図２（ｂ）】図１に示すハウジングを示す底面図である。
【図３（ａ）】図２（ａ）乃至図２（ｂ）に示す操作部と接続部とロック部を示す第一外観斜視図である。
【図３（ｂ）】図２（ａ）乃至図２（ｂ）に示す操作部と接続部とロック部を示す第二外観斜視図である。
【図４】本考案のハウジングとフレキシブルケーブルの組み合わせを示す概略構成図である。
【図５（ａ）】図１に示すラバーコアを示す正面図である。
【図５（ｂ）】図１に示すラバーコアを示す上面図である。
【図５（ｃ）】図１に示すラバーコアを示す背面図である。
【図６】図１に示すハウジングとラバーコアの組み合わせを示す概略構成図である。
【図７】本考案の第２実施例に係るロック及びロック解除構造を有するコネクタを示す外観斜視図である。
【図８】図７に示す操作部と接続部とロック部を示す第一外観斜視図である。
【図９】図８に示すハウジングとフレキシブルケーブルの接続を示す概略構成図である。
【考案を実施するための形態】
【００１７】
以下に図面を参照して、本考案を実施するための形態について、詳細に説明する。なお、本考案は、以下に説明する実施形態に限定されるものではない。
【００１８】
本明細書において、「１」または「１つ」という用語を使用して本文の単位、部材、及び組立部材を説明している。これは説明を分かりやすくするためにすぎず、本考案の範疇について一般的な意義を提供している。よって、他の意味が明示されていない限り、このような描写は１つ及び少なくとも１つという意味を含み、且つ単数と同時に複数も含むと理解すべきである。
【００１９】
なお、本明細書において、「備える」、「含む」、「有している」、「含有している」、或いは他の類似するあらゆる用語は被排他的に包括する物品を含む。一例を挙げると、複数の要素を含む部材、構造、製品、または装置が本文に列挙された要素に限られず、明確に列挙されていないが前記部材、構造、製品、または装置が通常固有の他の要素であるものも含まれる。このほか、明確に反対の説明がなされていない限り、「或いは」という用語 は包括的な「或いは」という意義を指し、排他的な「或いは」ではない。
【００２０】
［第１実施例］
図１は本考案の第１実施例に係るロック及びロック解除構造を有するコネクタ１０を示す外観斜視図である。図１において、ロック及びロック解除構造を有するコネクタ１０はヘッド部及び切欠部２２を有しているフレキシブルケーブル２及びプリント回路基板（図示省略）を接続可能であり、フレキシブルケーブル２の部分は図４を併せて参照する。
【００２１】
ロック及びロック解除構造を有するコネクタ１０はハウジング１２と、ラバーコア１４と、端子１６と、を備えている（図１参照）。
【００２２】
図２（ａ）乃至図２（ｂ）及び図３（ａ）乃至図３（ｂ）は図１に示すハウジングを示す詳細な構成図である。図２（ａ）は図１に示すハウジングを示す正面図である。図２（ｂ）は図１に示すハウジングを示す底面図である。図３（ａ）は図２（ａ）乃至図２（ｂ）に示す操作部と接続部と作用部を示す第一外観斜視図である。図３（ｂ）は図２（ａ）乃至図２（ｂ）に示す操作部と接続部と作用部を示す第二外観斜視図である。
【００２３】
ハウジング１２は操作部１２２と、接続部１２４と、ロック部１２６と、を備えている。ハウジング１２を折曲することにより操作部１２２、接続部１２４、及びロック部１２６を形成している。換言すれば、操作部１２２、接続部１２４、及びロック部１２６は同じハウジング１２により形成されている。本実施例では、操作部１２２の数量が１つであり、接続部１２４及びロック部１２６の数量がそれぞれ２つである例について説明する。接続部１２４及びロック部１２６は操作部１２２の両端にそれぞれ設置されている。
【００２４】
操作部１２２はハウジング１２の表面ＳＦに形成されている。操作部１２２は表面ＳＦの前側から角度θ湾曲して延出するように接続部１２４が形成され、角度θは例えば90度である。他の実施例では、ハウジング１２の表面ＳＦには強化構造１２８をさらに有する。
【００２５】
接続部１２４は操作部１２２及びロック部１２６に連接されている。接続部１２４は操作部１２２をロック部１２６に懸装させている。
【００２６】
ロック部１２６はハウジング１２’の両側に設置されている。ロック部１２６には作用構成１２６２、ベース１２６４、及び係合構成１２６６が形成されている。ここでは、係合構成１２６６は切欠部２２に対応するように設置されている。作用構成１２６２はベース１２６４及び係合構成１２６６に連接されている。本実施例では、ベース１２６４及び操作部１２２は分離／非接触態様を呈している。ここでは、作用構成１２６２はＬ字形を呈し、ベース１２６４にＣ字形体を形成するために用いられ、また、作用構成１２６２は第一弾性部材１２６２’及び第二弾性部材１２６２”をさらに備えている。
【００２７】
図４は本考案のハウジングとフレキシブルケーブルの組み合わせを示す概略構成図である。図４において、ヘッド部２２が係合構成１２６６に作用すると、係合構成１２６６が初期状態から係合構成１２６６が切欠部２４にロックするまで第一方向ＦＤに移動するように改変される。係合構成１２６６は作用構成１２６２により第二方向ＳＤに移動して初期状態に回復する。また、操作部１２２に外力を付勢することにより接続部１２４を変形させて作用構成１２６２を第一方向に移動させて変形させ、係合構成１２６６も第一方向ＦＤに移動させ、係合構成１２６６を切欠部２４から脱離させる。
【００２８】
続いて、図３（ａ）と図３（ｂ）に戻って、ロック部１２６（またはベース１２６４）はハウジング１２の両側に形成されていると共にハウジング１２をプリント回路基板に固定するための固定部１２６８をさらに備えている。
【００２９】
なお、ベース１２６４には第一位置限定部１２６１４及び１２６１０がさらに形成されている。本実施例では、第一位置限定部１２６１４及び１２６１０は、図３（ｂ）を併せて参照する。第一位置限定部１２６１４はハウジング１２またはベース１２６４の背面に形成され、第一位置限定部１２６１４はハウジング１２或いはロック部１２６の側面に形成されている。ここでは、第一位置限定部１２６１４が穴部であり、第一位置限定部１２６１４が弾性片である例について説明する。
【００３０】
なお、ベース１２６４は位置合わせユニット１２６１２をさらに備え、ここでは、位置合わせユニット１２６１２が挿入部材である例について説明する。位置合わせユニット１２６１２はハウジング１２の前縁に形成されている。
【００３１】
なお、表面ＳＦには位置合わせ用切欠部１２３がさらに形成され、後述するラバーコア１４に形成されている位置合わせブロック１４８に位置を合わせている。位置合わせ用切欠部１２３を位置合わせブロック１４８に位置を合わせることにより、ハウジング１２をラバーコア１４に組み合わせる。
【００３２】
図５（ａ）乃至図５（ｃ）は図１に示すラバーコアを示す詳細な構成図である。図５（ａ）は図１に示すラバーコアを示す正面図である。図５（ｂ）は図１に示すラバーコアを示す上面図である。図５（ｃ）は図１に示すラバーコアを示す背面図である。
【００３３】
なお、ラバーコア１４はハウジング１２に結合されている。ラバーコア１４にはフレキシブルケーブル２を収容するための収容空間ＳＰが形成されている。ラバーコア１４には開口部１４６及び端子孔１４４が形成されている。開口部１４６にはロック部１２６が設けられている。
【００３４】
なお、ラバーコア１４は第二位置限定部１４１０及び１４１２をさらに備えている。本実施例では、第二位置限定部１４１２はラバーコア１４の背面に形成され、第二位置限定部１４１０はラバーコア１４の側面に形成されている。ここでは、第二位置限定部１４１２が係合ブロックであり、第二位置限定部１４１０が係合溝である例について説明する。第二位置限定部１４１０及び１４１２は第一位置限定部１２６１４及び１２６１０にそれぞれ対応するように設けられている。第二位置限定部１４１０及び１４１２を第一位置限定部１２６１４及び１２６１０に結合することにより、ハウジング１２をラバーコア１４に位置を限定している。
【００３５】
なお、ラバーコア１４は位置合わせ穴１４３をさらに備えている。位置合わせ穴１４３は位置合わせユニット１２６１２に対応するように設けられ、位置合わせユニット１２６１２を位置合わせ穴１４３に接合することにより、ハウジング１２をラバーコア１４に位置を合わせ、ハウジング１２をラバーコア１４に精確に結合している。
【００３６】
図１に戻って、端子１６の一端は収容空間ＳＰに設置され、端子１６の他端はプリント回路基板を接続可能である。端子１６は端子孔１４４に挿設されている。
【００３７】
前述の第一位置限定部１２６１４及び１２６１０、第二位置限定部１４１０及び１４１２、位置合わせユニット１２６１２と位置合わせ穴１４４の組み合わせ方式について、図６を併せて参照する。図６は図１に示すハウジングとラバーコアの組み合わせを示す概略構成図である。
【００３８】
［第２実施例］
図７は本考案の第２実施例に係るロック及びロック解除構造を有するコネクタを示す外観斜視図である。図７において、ロック及びロック解除構造を有するコネクタ１０’も同様に図９のヘッド部及び切欠部２２を有しているフレキシブルケーブル２及びプリント回路基板を接続可能である。コネクタ１０’は第１実施例のハウジング１２と、ラバーコア１４と、端子１６と、を備えているほか、その差異は、ハウジング１２’が異なる構造を有している点である。
【００３９】
図８は図１に示すハウジングの第２実施例を示す概略構成図である。図８において、操作部１２２’はロック及びロック解除構造を有するコネクタ１０の操作部１２２とは異なる。ここでは、操作部１２２’及びベース１２６４’が連設されることにより、作用構成１２６２’”がベース１２６４’及び係合構成１２６６’に連接されている。
【００４０】
以上、本明細書に開示された実施例は、本考案を限定するものではなく、説明するためのものであり、このような実施例によって本考案の思想と範囲が限定されるものではない。本考案の範囲は実用新案登録請求の範囲により解釈すべきであり、それと同等の範囲内にある全ての技術は、実用新案登録請求の範囲に含まれるものと解釈すべきである。
【符号の説明】
【００４１】
２  フレキシブルケーブル
２２  切欠部
１０  ロック及びロック解除構造を有するコネクタ
１０’  ロック及びロック解除構造を有するコネクタ
１２  ハウジング
１２’  ハウジング
１２２  操作部
１２２’  操作部
１２３  切欠部
１２６２  作用構成
１２６２”’  作用構成
１２６２’  第一弾性部材
１２６２”  第二弾性部材
１２６４  ベース
１２６６  係合構成
１２６８  固定部
１２６１２  位置合わせユニット
１２６１４  第一位置限定部
１２６１０  第一位置限定部
１２４  接続部
１２６  ロック部
１２８  強化構造
１４  ラバーコア
１４’  ラバーコア
１４３  位置合わせ穴
１４４  位置合わせ穴
１４６  開口部
１４８  位置合わせブロック
１４１０  第二位置限定部
１４１２  第二位置限定部
１６  端子
ＳＦ  表面
ＳＦ’  表面
θ  角度
ＦＤ  第一方向
ＳＤ  第二方向
ＳＰ  収容空間
【図１】
0003234748.tif 000003
【図２（ａ）】
0003234748.tif 000004
【図２（ｂ）】
0003234748.tif 000005
【図３（ａ）】
0003234748.tif 000006
【図３（ｂ）】
0003234748.tif 000007
【図４】
0003234748.tif 000008
【図５（ａ）】
0003234748.tif 000009
【図５（ｂ）】
0003234748.tif 000010
【図５（ｃ）】
0003234748.tif 000011
【図６】
0003234748.tif 000012
【図７】
0003234748.tif 000013
【図８】
0003234748.tif 000014
【図９】
0003234748.tif 000015